(57)【特許請求の範囲】
【請求項１】
プロセッサを備えるユーザ機器（ＵＥ）であって、該プロセッサは、
閉じた加入者グループへの限定アクセスが変更されたことの第一のインジケーションを含むブロードキャスト制御チャンネル（ＢＣＣＨ）を受信することと、該第一のインジケーションに基づいてシグナリング手順を開始することとを行うように構成されている、ユーザ機器（ＵＥ）。
【請求項２】
前記シグナリング手順は、トラッキングエリア更新手順、サービスリクエスト手順、およびアタッチ手順のうちの少なくとも１つである、請求項１に記載のユーザ機器。
【請求項３】
前記シグナリング手順は、ルーティングエリア更新手順、位置更新手順、サービスリクエスト手順、およびアタッチ手順のうちの少なくとも１つである、請求項１に記載のユーザ機器。
【請求項４】
前記シグナリング手順は、オープンモバイルアライアンス（ＯＭＡ）デバイス管理（ＤＭ）手順である、請求項１に記載のユーザ機器。
【請求項５】
前記第一のインジケーションは、マスター情報ブロック（ＭＩＢ）、第一のシステム情報ブロック（ＳＩＢ１）、およびＢＣＣＨの別のシステム情報ブロックのうちの１つで受信される、請求項１に記載のユーザ機器。
【請求項６】
前記第一のインジケーションは、シーケンス番号を含む、請求項１に記載のユーザ機器。
【請求項７】
前記第一のインジケーションの値の変化は、前記閉じた加入者グループへの限定アクセスが変更されたことのインジケーションを伝達する、請求項６に記載のユーザ機器。
【請求項８】
前記ユーザ機器の少なくとも部分的なアイデンティティの第二のインジケーションは、前記ＢＣＣＨで受信され、前記プロセッサは、前記第一のインジケーションおよび該第二のインジケーションに基づいてシグナリング手順を開始する、請求項１に記載のユーザ機器。
【請求項９】
前記変更された限定アクセスの対象である前記閉じた加入者グループのアイデンティティの第三のインジケーションは、前記ＢＣＣＨで受信され、前記プロセッサは、前記第一のインジケーションおよび該第三のインジケーションに基づいてシグナリング手順を開始する、請求項１に記載のユーザ機器。
【請求項１０】
前記第一のインジケーションは、ユーザ機器のアイデンティティのインジケーション、および閉じた加入者グループのアイデンティティのインジケーションのうちの１つである、請求項１に記載のユーザ機器。
【請求項１１】
プロセッサを備えるアクセスノード（ＡＮ）であって、該プロセッサは、
閉じた加入者グループへの限定アクセスが変更されたことの第一のインジケーションを含むブロードキャスト制御チャンネル（ＢＣＣＨ）を送信するように構成されている、アクセスノード（ＡＮ）。
【請求項１２】
前記第一のインジケーションは、マスター情報ブロック（ＭＩＢ）、第一のシステム情報ブロック（ＳＩＢ１）、およびＢＣＣＨの別のシステム情報ブロックのうちの１つにおいて提供される、請求項１１に記載のアクセスノード。
【請求項１３】
前記第一のインジケーションはシーケンス番号である、請求項１１に記載のアクセスノード。
【請求項１４】
前記プロセッサは、前記ユーザ機器の少なくとも部分的なアイデンティティの第二のインジケーションを含むＢＣＣＨを送信するようにさらに構成される、請求項１３に記載のアクセスノード。
【請求項１５】
前記プロセッサは、前記変更された限定アクセスの対象である前記閉じた加入者グループのアイデンティティの第三のインジケーションを含むＢＣＣＨを送信するようにさらに構成された、請求項１１に記載のアクセスノード。
【請求項１６】
前記第一のインジケーションは、ユーザ機器のアイデンティティのインジケーション、および閉じた加入者グループのアイデンティティのインジケーションのうちの１つである、請求項１１に記載のアクセスノード。
【請求項１７】
前記アクセスノードは、閉じた加入者グループ（ＣＳＧ）セルである、請求項１１に記載のアクセスノード。
【請求項１８】
前記アクセスノードは、前記限定アクセスが変更された前記閉じた加入者グループに属する、請求項１７に記載のアクセスノード。
【請求項１９】
前記アクセスノードは、前記限定アクセスが変更された前記閉じた加入者グループに属さない、請求項１７に記載のアクセスノード。
【請求項２０】
アクセス権を有する閉じた加入者グループのリスト（ＡＣＬ）を同期化する方法であって、該方法は、
コアネットワークに記憶されたＡＣＬが変更された場合、閉じた加入者グループへの限定アクセスが変更されたことの第一のインジケーションを含むブロードキャスト制御チャンネル（ＢＣＣＨ）を送信すること
を含む、方法。
【請求項２１】
前記第一のインジケーションは、シーケンス番号を含む、請求項２０に記載の方法。
【請求項２２】
前記ユーザ機器のアイデンティティの第二のインジケーションを含むＢＣＣＨを送信することをさらに含み、該ユーザ機器のアイデンティティは、前記閉じた加入者グループへの限定アクセスの変化に関連するユーザ機器（ＵＥ）に関連付けられる、請求項２０に記載の方法。
【請求項２３】
前記第二のインジケーションは、前記ＵＥの国際移動体加入者識別番号（ＩＭＳＩ）、および該ＵＥのｔｅｍｐｏｒａｒｙ  ｍｏｂｉｌｅ  ｓｔａｔｉｏｎ  ｉｄｅｎｔｉｔｙ（ＴＭＳＩ）のうちの少なくとも１つに基づく、請求項２２に記載の方法。
【請求項２４】
前記第二のインジケーションは、前記ＵＥの国際移動体加入者識別番号（ＩＭＳＩ）および該ＵＥのｔｅｍｐｏｒａｒｙ  ｍｏｂｉｌｅ  ｓｔａｔｉｏｎ  ｉｄｅｎｔｉｔｙ（ＴＭＳＩ）のうちの少なくとも１つのハッシュである、請求項２３に記載の方法。
【請求項２５】
前記変更された限定アクセスの対象である前記閉じた加入者グループのアイデンティティの第三のインジケーションを含むＢＣＣＨを送信することをさらに含む、請求項２０に記載の方法。
【請求項２６】
アクセス権を有する閉じた加入者グループのリスト（ＡＣＬ）を同期化する方法であって、該方法は、
閉じた加入者グループへの限定アクセスが変更されたことの第一のインジケーションを含むブロードキャスト制御チャンネル（ＢＣＣＨ）を受信することであって、該第一のインジケーションはシーケンス番号である、ことと、
該第一のインジケーションの値が変更されたことを決定することと、
ユーザ機器（ＵＥ）が、該第一のインジケーションの値が変更されたことを決定することに部分的に基づいて非アクセス層シグナリング手順を開始することであって、該非アクセス層シグナリング手順は該ＡＣＬを同期化する、ことと
を含む、方法。
【請求項２７】
前記ＢＣＣＨは、閉じた加入者グループのアイデンティティの第二のインジケーションをさらに含み、該閉じた加入者グループのアイデンティティが前記ＵＥによって記憶されたＡＣＬに含まれることを決定することをさらに含み、該ＵＥが前記非アクセス層シグナリング手順を開始することは、該閉じた加入者グループのアイデンティティが該ＵＥによって記憶されたＡＣＬに含まれることを決定することにさらに基づく、請求項２６に記載の方法。
【請求項２８】
アクセス権を有する閉じた加入者グループのリスト（ＡＣＬ）を同期化する方法であって、該方法は、
パケットデータネットワークに記憶されたＡＣＬが閉じた加入者グループのアイデンティティを除去するように変更されるときに、非アクセス層シグナリング手順を開始するために、該ＡＣＬに関連するユーザ機器（ＵＥ）をページすることを含み、該非アクセス層シグナリング手順は、該ＵＥに記憶されたＡＣＬのコピーを該パケットデータネットワークに記憶されたＡＣＬを同期化する、方法。
【発明の詳細な説明】
【技術分野】
【０００１】
(関連出願への相互参照）
本出願は、２００９年４月２０日に出願された、「ＵＰＤＡＴＩＮＧ  ＴＨＥ  ＵＳＥＲ  ＥＱＵＩＰＭＥＮＴ（ＵＥ）ＡＬＬＯＷＥＤ  ＣＬＯＳＥＤ  ＳＵＢＳＣＲＩＢＥＲ  ＧＲＯＵＰ  ＬＩＳＴ（ＡＣＬ）」と題される米国仮特許出願第６１／１７１，０３５号の利益を主張し、上記仮特許出願に対し優先権を主張する。上記仮特許出願の内容は、本明細書において、本明細書の詳細な説明に、参照することによって明確に援用される。
【背景技術】
【０００２】
（背景）
本明細書において使用される場合、「ユーザエージェント」および「ＵＡ」という用語は、一部の状況において、モバイル電話、携帯情報端末、ハンドヘルドパソコンまたはラップトップコンピュータ、および電話通信能力を有する同様なデバイスのようなモバイルデバイスをいい得る。このようなＵＡは、ＵＡと、Ｓｕｂｓｃｒｉｂｅｒ  Ｉｄｅｎｔｉｔｙ  Ｍｏｄｕｌｅ（ＳＩＭ）アプリケーション、Ｕｎｉｖｅｒｓａｌ  Ｓｕｂｓｃｒｉｂｅｒ  Ｉｄｅｎｔｉｔｙ  Ｍｏｄｕｌｅ（ＵＳＩＭ）アプリケーション、またはＲｅｍｏｖａｂｌｅ  Ｕｓｅｒ  Ｉｄｅｎｔｉｔｙ  Ｍｏｄｕｌｅ（Ｒ−ＵＩＭ）アプリケーションを含むユニバーサルＩＣカード（ＵＩＣＣ）のような（しかしこれに制限されない）、ＵＡに関連する取り外し可能メモリモジュールとから成り得る。あるいは、このようなＵＡはこのようなモジュールなしにデバイス自体から成り得る。他の状況において、「ＵＡ」という用語は、デスクトップパソコン、セットトップボックス、またはネットワーク器具のような、同様な能力を有するが運搬可能でないデバイスをいい得る。「ＵＡ」という用語はまた、ユーザに対する通信セッションを終了させ得る任意のハードウェアまたはソフトウェアコンポーネントをいい得る。また、「ユーザエージェント」、「ＵＡ」、「ユーザ機器」、「ＵＥ」、「ユーザデバイス」、および「ユーザノード」という用語は、本明細書において同義的に使用され得る。
【０００３】
技術が進化するにつれ、以前可能でなかったサービスを提供し得るさらに先進的なネットワークアクセス機器が紹介されている。このネットワークアクセス機器は、従来のワイヤレス電話通信システムにおける機器の均等物の向上であるシステムおよびデバイスを含み得る。このような先進的または次世代機器は、ロングタームエボリューション（ＬＴＥ）のような進化するワイヤレス通信標準に含まれ得る。例えば、ＬＴＥシステムは、従来の基地局ではなく、エンハンスドノードＢ（ｅＮＢ）、ワイヤレスアクセスポイント、または同様なコンポーネントを含み得る。本明細書において使用される場合、「アクセスノード」という用語は、従来の基地局、ワイヤレスアクセスポイント、またはＬＴＥ  ｅＮＢのような任意のワイヤレスネットワークのコンポーネントをいい、ワイヤレスネットワークのコンポーネントは、受信および送信カバレッジの地理的領域を生成し、ＵＡまたはリレーノードが電話通信システムにおける他のコンポーネントにアクセスすることを可能にする。この明細書において、「アクセスノード」という用語は、複数のハードウェアおよびソフトウェアを含み得る。
【０００４】
ＬＴＥシステムは、ＵＡと、アクセスノードもしくはリレーノード、または他のＬＴＥ機器との間の無線リソースの割り当て、構成、および解放を担うＲａｄｉｏ  Ｒｅｓｏｕｒｃｅ  Ｃｏｎｔｒｏｌ（ＲＲＣ）プロトコルのようなプロトコルを含む。ＲＲＣプロトコルは、非特許文献１に詳細に記載されている。ＲＲＣプロトコルによると、ＵＡに対する２つの基本的なＲＲＣモードは、「休止モード」および「接続モード」と規定されている。接続モードまたは接続状態中には、ＵＡはネットワークと信号を交換し、他の関連する動作を実行し、休止モードまたは休止状態中には、ＵＡはその接続モード動作の少なくとも一部を遮断し得る。休止モードおよび接続モード行動は、非特許文献１および非特許文献２に詳細に記述されている。
【０００５】
ＵＡと、リレーノードと、アクセスノードとの間でデータを搬送する信号は、ネットワークノードによって特定され得る周波数、時間、および符号化パラメータと、他の特性とを有し得る。このような特性の特定のセットを有する任意のこれらのエレメント間の接続は、リソースといわれる。「リソース」、「通信接続」、「チャンネル」、および「通信リンク」は、本明細書において同義的に使用され得る。ネットワークノードは、典型的に、各ＵＡ、またはＵＡがそのときに通信している他のネットワークノードに対して異なるリソースを確立する。
【先行技術文献】
【非特許文献】
【０００６】
【非特許文献１】Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）Ｔｅｃｈｎｉｃａｌ  Ｓｐｅｃｉｆｉｃａｔｉｏｎ（ＴＳ）３６．３３１
【非特許文献２】Ｔｈｉｒｄ  Ｇｅｎｅｒａｔｉｏｎ  Ｐａｒｔｎｅｒｓｈｉｐ  Ｐｒｏｊｅｃｔ（３ＧＰＰ）Ｔｅｃｈｎｉｃａｌ  Ｓｐｅｃｉｆｉｃａｔｉｏｎ（ＴＳ）３６．３０４
【発明の概要】
【課題を解決するための手段】
【０００７】
この開示のより完全な理解のために、添付の図面および詳細な記述と共に、以下の簡単な記述にここで参照がなされ、同様な参照番号は同様な部分を表す。
【０００８】
本開示の１つ以上の実施形態を描写する実装が以下に提供されるが、開示されたシステムおよび／または方法は、現在周知であるかまたは存在する任意の数の技法を使用して実装され得ることが冒頭で理解される。本開示は、本明細書において描写され記述される例示的な設計および実装を含む、以下に描写される描写的実装、図面、および技法に制限されるものではなく、添付の特許請求の範囲ならびにこれらの均等物の全範囲内で改変され得る。
本発明は、例えば、以下を提供する。
（項目１）
プロセッサを備えるユーザ機器（ＵＥ）であって、該プロセッサは、
閉じた加入者グループへの限定アクセスが変更されたことの第一のインジケーションを含むブロードキャスト制御チャンネル（ＢＣＣＨ）を受信することと、該第一のインジケーションに基づいてシグナリング手順を開始することとを行うように構成されている、ユーザ機器（ＵＥ）。
（項目２）
上記シグナリング手順は、トラッキングエリア更新手順、サービスリクエスト手順、およびアタッチ手順のうちの少なくとも１つである、項目１に記載のユーザ機器。
（項目３）
上記シグナリング手順は、ルーティングエリア更新手順、位置更新手順、サービスリクエスト手順、およびアタッチ手順のうちの少なくとも１つである、項目１に記載のユーザ機器。
（項目４）
上記シグナリング手順は、オープンモバイルアライアンス（ＯＭＡ）デバイス管理（ＤＭ）手順である、項目１に記載のユーザ機器。
（項目５）
上記第一のインジケーションは、マスター情報ブロック（ＭＩＢ）、第一のシステム情報ブロック（ＳＩＢ１）、およびＢＣＣＨの別のシステム情報ブロックのうちの１つで受信される、項目１に記載のユーザ機器。
（項目６）
上記第一のインジケーションは、シーケンス番号を含む、項目１に記載のユーザ機器。
（項目７）
上記第一のインジケーションの値の変化は、上記閉じた加入者グループへの限定アクセスが変更されたことのインジケーションを伝達する、項目６に記載のユーザ機器。
（項目８）
上記ユーザ機器の少なくとも部分的なアイデンティティの第二のインジケーションは、上記ＢＣＣＨで受信され、上記プロセッサは、上記第一のインジケーションおよび該第二のインジケーションに基づいてシグナリング手順を開始する、項目１に記載のユーザ機器。
（項目９）
上記変更された限定アクセスの対象である上記閉じた加入者グループのアイデンティティの第三のインジケーションは、上記ＢＣＣＨで受信され、上記プロセッサは、上記第一のインジケーションおよび該第三のインジケーションに基づいてシグナリング手順を開始する、項目１に記載のユーザ機器。
（項目１０）
上記第一のインジケーションは、ユーザ機器のアイデンティティのインジケーション、および閉じた加入者グループのアイデンティティのインジケーションのうちの１つである、項目１に記載のユーザ機器。
（項目１１）
プロセッサを備えるアクセスノード（ＡＮ）であって、該プロセッサは、
閉じた加入者グループへの限定アクセスが変更されたことの第一のインジケーションを含むブロードキャスト制御チャンネル（ＢＣＣＨ）を送信するように構成されている、アクセスノード（ＡＮ）。
（項目１２）
上記第一のインジケーションは、マスター情報ブロック（ＭＩＢ）、第一のシステム情報ブロック（ＳＩＢ１）、およびＢＣＣＨの別のシステム情報ブロックのうちの１つにおいて提供される、項目１１に記載のアクセスノード。
（項目１３）
上記第一のインジケーションはシーケンス番号である、項目１１に記載のアクセスノード。
（項目１４）
上記プロセッサは、上記ユーザ機器の少なくとも部分的なアイデンティティの第二のインジケーションを含むＢＣＣＨを送信するようにさらに構成される、項目１３に記載のアクセスノード。
（項目１５）
上記プロセッサは、上記変更された限定アクセスの対象である上記閉じた加入者グループのアイデンティティの第三のインジケーションを含むＢＣＣＨを送信するようにさらに構成された、項目１１に記載のアクセスノード。
（項目１６）
上記第一のインジケーションは、ユーザ機器のアイデンティティのインジケーション、および閉じた加入者グループのアイデンティティのインジケーションのうちの１つである、項目１１に記載のアクセスノード。
（項目１７）
上記アクセスノードは、閉じた加入者グループ（ＣＳＧ）セルである、項目１１に記載のアクセスノード。
（項目１８）
上記アクセスノードは、上記限定アクセスが変更された上記閉じた加入者グループに属する、項目１７に記載のアクセスノード。
（項目１９）
上記アクセスノードは、上記限定アクセスが変更された上記閉じた加入者グループに属さない、項目１７に記載のアクセスノード。
（項目２０）
アクセス権を有する閉じた加入者グループのリスト（ＡＣＬ）を同期化する方法であって、該方法は、
コアネットワークに記憶されたＡＣＬが変更された場合、閉じた加入者グループへの限定アクセスが変更されたことの第一のインジケーションを含むブロードキャスト制御チャンネル（ＢＣＣＨ）を送信すること
を含む、方法。
（項目２１）
上記第一のインジケーションは、シーケンス番号を含む、項目２０に記載の方法。
（項目２２）
上記ユーザ機器のアイデンティティの第二のインジケーションを含むＢＣＣＨを送信することをさらに含み、該ユーザ機器のアイデンティティは、上記閉じた加入者グループへの限定アクセスの変化に関連するユーザ機器（ＵＥ）に関連付けられる、項目２０に記載の方法。
（項目２３）
上記第二のインジケーションは、上記ＵＥの国際移動体加入者識別番号（ＩＭＳＩ）、および該ＵＥのｔｅｍｐｏｒａｒｙ  ｍｏｂｉｌｅ  ｓｔａｔｉｏｎ  ｉｄｅｎｔｉｔｙ（ＴＭＳＩ）のうちの少なくとも１つに基づく、項目２２に記載の方法。
（項目２４）
上記第二のインジケーションは、上記ＵＥの国際移動体加入者識別番号（ＩＭＳＩ）および該ＵＥのｔｅｍｐｏｒａｒｙ  ｍｏｂｉｌｅ  ｓｔａｔｉｏｎ  ｉｄｅｎｔｉｔｙのうちの少なくとも１つのハッシュである、項目２３に記載の方法。
（項目２５）
上記変更された限定アクセスの対象である上記閉じた加入者グループのアイデンティティの第三のインジケーションを含むＢＣＣＨを送信することをさらに含む、項目２０に記載の方法。
（項目２６）
アクセス権を有する閉じた加入者グループのリスト（ＡＣＬ）を同期化する方法であって、該方法は、
閉じた加入者グループへの限定アクセスが変更されたことの第一のインジケーションを含むブロードキャスト制御チャンネル（ＢＣＣＨ）を受信することであって、該第一のインジケーションはシーケンス番号である、ことと、
該第一のインジケーションの値が変更されたことを決定することと、
ユーザ機器（ＵＥ）が、該第一のインジケーションの値が変更されたことを決定することに部分的に基づいて非アクセス層シグナリング手順を開始することであって、該非アクセス層シグナリング手順は該ＡＣＬを同期化する、ことと
を含む、方法。
（項目２７）
上記ＢＣＣＨは、閉じた加入者グループのアイデンティティの第二のインジケーションをさらに含み、該閉じた加入者グループのアイデンティティが上記ＵＥによって記憶されたＡＣＬに含まれることを決定することをさらに含み、該ＵＥが上記非アクセス層シグナリング手順を開始することは、該閉じた加入者グループのアイデンティティが該ＵＥによって記憶されたＡＣＬに含まれることを決定することにさらに基づく、項目２６に記載の方法。
（項目２８）
アクセス権を有する閉じた加入者グループのリスト（ＡＣＬ）を同期化する方法であって、該方法は、
パケットデータネットワークに記憶されたＡＣＬが閉じた加入者グループのアイデンティティを除去するように変更されるときに、非アクセス層シグナリング手順を開始するために、該ＡＣＬに関連するユーザ機器（ＵＥ）をページすることを含み、該非アクセス層シグナリング手順は、該ＵＥに記憶されたＡＣＬのコピーを該パケットデータネットワークに記憶されたＡＣＬを同期化する、方法。
（項目２９）
アクセス権を有する閉じた加入者グループのリスト（ＡＣＬ）を同期化する方法であって、該方法は、
パケットデータネットワークに記憶されたＡＣＬが更新されるとき、該パケットデータネットワークが該ＡＣＬの更新を該ＡＣＬに関連するユーザ機器（ＵＥ）に送信することを含む、方法。
【図面の簡単な説明】
【０００９】
【図１】図１は、本開示の一部の実施形態に従ったモバイル通信システムのブロック図である。
【図２】図２は、本開示の一部の実施形態に従ったモバイル通信システムのブロック図である。
【図３】図３は、本開示の実施形態に従った、アクセス権を有する閉じた加入者グループリスト（ａｌｌｏｗｅｄ  ｃｌｏｓｅｄ  ｓｕｂｓｃｒｉｂｅｒ  ｇｒｏｕｐ  ｌｉｓｔ）を同期化する方法のフローチャートである。
【図４】図４は、本開示の実施形態に従った、アクセス権を有する閉じた加入者グループリストを同期化する別の方法のフローチャートである。
【図５】図５は、本開示の一部の実施形態を実装することに適切なプロセッサおよび関連するコンポーネントを描写する。
【発明を実施するための形態】
【００１０】
ここで図１に目を向けると、通信ネットワーク１００が記述される。実施形態において、ネットワーク１００はロングタームエボリューション（ＬＴＥ）ワイヤレス通信ネットワークであり得るが、他の実施形態において、ネットワーク１００は他のワイヤレス通信技術（例えば  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（ＵＴＲＡＮ））を含み得る。ネットワーク１００は、閉じた加入者グループ（ＣＳＧ）セル１０４と通信し得るユーザ機器（ＵＥ）１０２を含み得る。ＣＳＧセル１０４は、コアネットワーク（ＣＮ）１０６、パケットデータネットワーク（ＰＤＮ）、または別のネットワークに通信的に結合される。ＣＳＧセル１０４間の結合は、１つ以上のｓｅｒｖｉｎｇ  ｇａｔｅｗａｙ（ＳＧＷ）、１つ以上のＰＤＮｇａｔｅｗａｙ（ＰＧＷ）、１つ以上のｍｏｂｉｌｉｔｙ  ｍａｎａｇｅｍｅｎｔ  ｅｎｔｉｔｙ（ＭＭＥ）、および／または１つ以上のホーム加入者サーバ（ＨＳＳ）のようなさらなる通信ノード（図示なし）を含み得ることが理解される。あるいは、ＣＮ１０６は、このようなＳＧＷ、ＰＧＷ、ＭＭＥ、およびＨＳＳを含むとみなされ得る。ＵＥ１０２は、モバイル電話、携帯情報端末（ＰＤＡ）、または他のモバイル電子通信デバイスであり得る。ＣＳＧセル１０４は、屋内基地局またはフェムトセルであり得る。一部の脈略において、ＣＳＧセル１０４は、アクセスノード（ＡＮ）といわれ得る。一部の他の脈略において、ＣＳＧセル１０４は、いくつかのＣＳＧ機能と、オープンアクセスのような他の機能とから構成されるハイブリッドセルといわれ得る。
【００１１】
一般的には、ＣＳＧセルによって提供されるアクセス通信サービスにアクセスするためには、ＵＥはＣＳＧセルに関連するＣＳＧグループへの限定アクセスを付与されなければならない。実施形態において、ＵＥに対するこの限定アクセスは、ＵＥが限定アクセスを付与されたＣＳＧグループを識別するアクセス権を有する（ａｌｌｏｗｅｄ）ＣＳＧのリスト（ＡＣＬ）を通して媒介され得る。第一のＡＣＬ１０８−ａは、ＵＥ１０２によって記憶され得、第二のＡＣＬ１０８−ｂは、ＣＮ１０６内に記憶され得る。ＵＥ１０２がＣＳＧセル１０４を選択することを求める場合（例えば、ＵＥ１０２がＲＣＣ＿ＩＤＬＥモードにある場合）、ＵＥ１０２は、最初に、ＣＳＧセル１０４によってブロードキャストされているＣＳＧのアイデンティティが第一のＡＣＬ１０８−ａにリストされていることを決定し得る。ＵＥ１０２がＣＳＧセル１０４を介してＣＮ１０６へのアクセスを試みる場合、ＣＮ１０６はそのＡＣＬ１０８−ｂを確認し、ＡＣＬ１０８−ｂにおいてＣＳＧセル１０４に関連するＣＳＧのアイデンティティがＵＥ１０２に関連付けられていることを示す（例えば、ＵＥ１０２がＣＳＧセル１０４に関連するＣＳＧグループへの限定アクセスを付与されている）場合、次にＣＮ１０６はＵＥ１０２行きのトラフィックをＣＳＧセル１０４を介してルーティングする。
【００１２】
実施形態において、ＡＣＬ１０８−ｂは、ＣＳＧへの限定アクセスが許可される全てのＵＥ１０２を識別し得、ＡＣＬ１０８−ａは、ＵＥ１０２が限定アクセス権を有する全てのＣＳＧを識別し得る。ＡＣＬ１０８−ｂをＡＣＬ１０８−ａと同期化することは、ＣＳＧに関連するＡＣＬ１０８−ｂがＵＥ１０２を追加するために変更された場合にＣＳＧをＡＣＬ１０８−ａに追加することを意味し得、ＣＳＧに関連するＡＣＬ１０８−ｂがＵＥ１０２を除去するために変更された場合にＣＳＧをＡＣＬ１０８−ａから削除することを意味し得る。
【００１３】
ＡＣＬ１０８は、ＵＥ１０２が限定アクセスを付与されたＣＳＧグループが変更されるにつれ、時間と共に変更され得る。例えば、ＵＥ１０２に関連するユーザは、企業での就職を決め、企業キャンパス内に位置する複数のＣＳＧセルに関連するＣＳＧグループへの限定アクセスを付与され得、ＡＣＬ１０８は、このＵＥ１０２に対するこのＣＳＧグループを追加するために変更され得る。第二の企業によって買収された第一の企業の複数の従業員に関連するＵＡ１０２の全てが、第二の企業に属するＣＳＧセルに関連するＣＳＧグループへの限定アクセスを付与され得、これらのＵＥ１０２のそれぞれに関連するＡＣＬ１０８は、それぞれ１つ以上のＣＳＧグループを追加するために変更される。同様に、従業員が企業から離職する場合、ＡＣＬ１０８は、元従業員によって操作されたＣＳＧセルに関連付けられる、制限アクセスが以前許可されたＣＳＧグループの１つ以上を除去するために変更され得る。ＡＣＬ１０８を変更することは、ＵＥ１０２上のＡＣＬ１０８−ａ、ＣＮ１０６内のＡＣＬ１０８−ｂの双方を変更することを含むことが理解される。一部の脈役において、ＵＥ１０２上に記憶されたＡＣＬ１０８−ａとＣＮ１０６内に記憶されたＡＣＬ１０８−ｂとの間の一致を維持することは、ＡＣＬ１０８を同期化することといわれ得る。
【００１４】
ＡＣＬ１０８（例えば、ＵＥ１０２上のＡＣＬ１０８−ａおよびＣＮ１０６内のＡＣＬ１０８−ｂ）が同期化されていない場合、特にＣＳＧグループがＣＮ１０６内のＡＣＬ１０８−ｂから除去され、ＣＳＧグループがＵＥ１０２上のＡＣＬ１０８−ａから除去されていない場合、問題が発生し得る。本開示は、ＡＣＬの非同期化問題の発生の可能性を低減する新規の方法を教示することに部分的に向けられる。いくつかの異なるアプローチおよび方法が開示され、これらのそれぞれは、異なる動作環境または通信状態においてそれ特有の利点および欠点を有し得る。一部の実施形態において、方法の組み合わせがＡＣＬ非同期化問題を低減するために使用され得る。１つのアプローチは、例えばＵＡ１０２がＲＣＣ＿ＩＤＬＥモードにある場合、ＵＥ１０２に警告するためにブロードキャスト制御チャンネル（ＢＣＣＨ）でインジケーションをブロードキャストすることを伴う。別のアプローチは、ＡＣＬ１０８−ｂが変更された場合にＵＥ１０２をページし、ＵＥ１０２が非アクセス層（ＮＡＳ）シグナリング手順またはオープンモバイルアライアンス（ＯＭＡ）デバイス管理（ＤＭ）手順を開始することを引き起こすことを伴い、これによってＡＣＬが同期化される。
【００１５】
ＡＣＬ１０８が、最初に、ＵＥ１０２がＣＳＧセル１０４に関連するＣＳＧグループへの限定アクセスを許可されていることを示す場合、次に、ＡＣＬ１０８−ｂは、ＵＥ１０２がＲＣＣ＿ＩＤＬＥモードにある場合、ＵＥ１０２に対するＣＳＧグループへの限定アクセスを除去するために変更され、ＡＣＬ１０８−ａはしばらく更新されない場合があり、ＵＥ１０２は、ＣＳＧグループへの限定アクセスがまた許可されていると仮定し得る。ＵＥ１０２がＣＳＧセル１０４にキャンプしている場合（例えば、ＵＥ１０２がＣＳＧセル１０４に選択されている）、ＵＥ１０２のユーザインターフェイスは「ＣＳＧサービス」または「ＣＳＧカバレッジ」を示し得るが、ＵＥ１０２はＣＮ１０６につながらない場合がある。これは、例えば、ＵＥ１０２がＣＳＧセル１０４に選択されているため、ＵＥ１０２がＣＳＧセル１０４からのページングメッセージのみを待つが、改変されたＡＣＬ１０８−ｂはＵＥ１０２にＣＳＧセル１０４に関連するＣＳＧグループへの限定アクセスをもはや付与していないため、ＣＮ１０６はＣＳＧセル１０４にＵＥ１０２をページするように示さない。さらには、１つの代替において、ＵＥ１０２の位置でのマクロセルカバレッジがない（ＵＥ１０２の位置で無制限のアクセスカバレッジを提供するｅＮＢがない）場合、ＵＥ１０２が電話コールをかけようとすると、ＣＳＧ１０４を介してかける試みは却下され、ＵＥ１０２はＣＳＧセル１０４が関連するＣＳＧグループを除去するためにＡＣＬ１０８−ａを改変し、次にＵＥ１０２は別のセルからカバレッジを選択することを試みるが、そのときに初めてカバレッジが利用可能でないことを気付く。あるいは、ＵＥ１０２は、マクロセルを選択し得るが、通信サービスが所望されない料金および／またはレートで提供されている場合がある。これらの全ての異なる状況において、ＵＥ１０２のユーザは、ワイヤレス通信サービスプロバイダに対する満足度を低減する劣悪な経験をし得る。
【００１６】
実施形態において、例えばＵＥ１０２が非アクセス層（ＮＡＳ）シグナリング手順（例えば、トラッキングエリア更新手順および／またはサービスリクエスト手順）を開始することに基づいて、ＣＳＧセル１０４は、ＡＣＬ１０８−ａとＣＮ１０６内のＡＣＬ１０８−ｂとの同期化を引き起こすためにインジケーションをＵＥ１０２が受信し使用し得るＡＣＬ１０８−ｂの変更のインジケーションをＢＣＣＨでブロードキャストし得る。あるいは、ＵＥ１０２は、ルーティングエリア更新手順、位置更新手順、および／またはサービスリクエスト手順を開始し得る。あるいは、ＵＥ１０２はＯＭＡ  ＤＡ手順を開始し得、ＵＥ１０２は、ＯＭＡ−ＤＭサーバ（図示なし）によって更新され得る。ＣＳＧセル１０４は、ＢＣＣＨのマスター情報ブロック（ＭＩＢ）で搬送される値タグ、またはシステム情報ブロックに関連する値タグを変更することによってＡＣＬ１０８−ｂにおける変更を示し得る。値タグはシーケンス番号であり得、値タグのシーケンス番号を１つ進めることは、以前のシーケンス番号の値タグへの割り当ての後に変更を示し得る。このシーケンス番号は、ＢＣＣＨによって提供されたシステム情報において新規の変更が生じたかどうか、またはＵＥ１０２が示された変更されたシステム情報を以前に復号したかどうかを決定するためにＵＥ１０２によって使用され得る。ＵＥ１０２は、値タグにおける１つ進められたシーケンス番号がシステム情報における変更を示すことを決定すると、システム情報の残り部分を読み取り得る。
【００１７】
実施形態において、ＢＣＣＨは、ＣＳＧセル１０４への限定アクセスを許可されたサービス契約者の更新のインジケーションを含む（例えばＭＩＢ、第一のシステム情報ブロック（ＳＩＢ１）、またはＢＣＣＨの一部である他のシステム情報ブロックにＣＳＧセル１０４への限定アクセスを許可されたサービス契約者の更新のインジケーションを含む）ために、本開示の教示に従って拡張され得る。一部の脈略において、限定アクセスを許可されたサービス契約者の更新のインジケーションは、ＣＳＧ＿ＳＵＢＳ＿ＵＰＤＡＴＥといわれ得る。１つの実施形態において、インジケーションはフラグであり得、別の実施形態において、インジケーションは、異なる更新を判別するためにＵＥ１０２によって使用され得るシーケンス値であり得る。ＵＥ１０２がシステム情報におけるＣＳＧセル１０４への限定アクセスを許可されたサービス契約者の更新のインジケーションを読み取ると、ＵＥ１０２は、ＵＥ１０２によって記憶されたＡＣＬ１０８−ａをＣＮ１０６内のＡＣＬ１０８−ｂと同期化するために、ＮＡＳシグナリング手順を実行し得る。一部の状況において、この簡単な同期化手順は、容認可能なシグナリングオーバーヘッドでＡＣＬ１０８の必要とされる同期化を提供し得る。他の状況において、例えば多くのＵＥ１０２がＣＳＧセル１０４にキャンプされており、これらすべてがＮＡＳシグナリングを開始した場合、この簡単な手順は、多くのＵＥ１０２が実質的に同時にＮＡＳシグナリング手順を開始するために、過剰なシグナリングオーバーヘッドおよび複数の同時アクセスを被る。実施形態において、上記に記述された手順は、ＵＥ１０２が異なる時間に、例えば異なる乱数を（例えば、対象ＵＥ１０２に関連づけられる固有の識別子に関する、乱数を生成するシード使用して）生成することに基づいて各ＵＥ１０２によって決定された遅延の後に、ＮＡＳシグナリング手順を開始することにより改変され得る。代替の実施形態において、遅延は、ＵＥ１０２の固有識別子をハッシングすることに基づいて各ＵＥ１０２によって決定され得る。
【００１８】
ＣＳＧセルへの限定アクセスを許可されたサービス契約者の更新のインジケーション（例えば、ＣＳＧ＿ＳＵＢＳ＿ＵＰＤＡＴＥパラメータ）を送信するために割り当てられ得るビット数次第で、ＣＳＧセル１０４および／またはＣＮ１０６は、ＣＳＧ＿ＳＵＢ＿ＵＰＤＡＴＥに提供されるシーケンス値を変更する頻度を制限し得る。例えば、ＣＳＧ＿ＳＵＢ＿ＵＰＤＡＴＥが８ビットである場合、シーケンス値が繰り戻される前に２５６の異なる更新が判別され得る。ＣＳＧ＿ＳＵＢ＿ＵＰＤＡＴＥパラメータに含まれるシーケンス番号の更新が１分あたり１回許可される場合、シーケンス値は約４時間ごとに繰り戻される。ＵＥ１０２は、ＵＥ１０２が４時間より長い間ＣＳＧセル１０４のＢＣＣＨを待っていない場合、例えばＵＥ１０２が４時間より長い間離れていた後にＣＳＧセル１０４に戻った場合、この状況において、ＵＥ１０２がＣＳＧ＿ＳＵＢ＿ＵＰＤＡＴＥパラメータの繰り戻しを見逃した可能性があるため、ＮＡＳシグナリング手順を実行するように構成され得る。当業者はＣＳＧ＿ＳＵＢ＿ＵＰＤＡＴＥパラメータが異なるビット数で構成される場合、本開示との組み合わせで、他の規則を形成するためにこの実施例を適合し得る。
【００１９】
別の実施形態において、ＢＣＣＨは、変更されたＡＣＬ１０８−ｂに関連するＵＥ１０２を少なくとも部分的に識別するために、第二のインジケーションを含むようにさらに拡張され得る。第二のインジケーションは、ＭＩＢ、ＳＩＢ１、またはＢＣＣＨを形成する他のシステム情報に搬送され得る。第二のインジケーションは、ＵＥ１０２の国際移動体加入者識別番号（ＩＭＳＩ）、ＵＥ１０２のｔｅｍｐｏｒａｒｙ  ｍｏｂｉｌｅ  ｓｔａｔｉｏｎ  ｉｄｅｎｔｉｔｙ（ＴＭＳＩ）、ＵＥ１０２のＭ−ＴＭＳＩ、ＵＥ１０２のＰ−ＴＭＳＩ、ＵＥ１０２のＳ−ＴＭＳＩ、ＵＥ１０２のＧＵＴＩ、またはＵＥ１０２に関連する任意の他の識別子を使用することによってＵＥ１０２を識別し得る。ＵＥ１０２の完全および固有の識別は、システム１００におけるＮＡＳシグナリングの負担を低減する利益を達するために必ずしも必要でない。例えば、部分的または仮固有識別子が不必要なＮＡＳシグナリング手順を開始する、ＣＳＧセル１０４にキャンプされたＵＥ１０２の９０％を成功裏に取り除くが、ＣＳＧセル１０４にキャンプされたＵＥ１０２の一部がなお不必要に（これらのＵＥ１０２はまだこれらのＡＣＬ１０８−ａを変更されていないために不必要）ＮＡＳシグナリング手順を開始することを許可する場合、このシグナリングロードの低減はまだ所望される向上である。第二のインジケーションはＵＥ１０２のアイデンティティのハッシュとして生成され得る。第二のインジケーションは、ＵＥ１０２のアイデンティティのＭの最も重要でないビット、例えばＵＥ１０２の３２ビットのアイデンティティまたは６４ビットのアイデンティティの８つの最も重要でないビットとして生成され得る。一部の脈力において、第二のインジケーションは、ＵＥ＿ＩＤＥＮＴＩＴＹといわれ得る。
【００２０】
実施形態において、ＵＥ＿ＩＤＥＮＴＩＴＹをＢＣＣＨに含むことは、１つ以上のＵＥ１０２にＮＡＳシグナリング手順またはＯＭＡ  ＤＭシグナリング手順を開始するように警告するために充分であり得る。例えば、実施形態において、ＢＣＣＨは、ＣＳＧ＿ＳＵＢ＿ＵＰＤＡＴＥパラメータを含まず、ＭＩＢに搬送される値タグがシステム情報の変更を示す場合、ＵＥ１０２はＵＥ＿ＩＤＥＮＴＩＴＹを読み取り、ＵＥ＿ＩＤＥＮＴＩＴＹにより指定されていることを決定し、ＵＥ１０２はＡＣＬ１０８−ａの更新を（例えば、ＮＡＳシグナリング手順またはＯＭＡ  ＤＭシグナリング手順を開始することによって）開始する。
【００２１】
実施形態において、ＵＥ＿ＩＤＥＮＴＩＴＹは、複数のＵＥ１０２を識別し得る。例えば、ＵＥ＿ＩＤＥＮＴＩＴＹは、異なるＵＥ１０２に関連する識別子のリストを含み得、これらの異なるＵＥ１０２のそれぞれは、ＣＳＧセル１０４への変更された限定アクセスの対象である。別の実施例において、ＵＥ＿ＩＤＥＮＴＩＴＹは、ＵＥのグループを識別する１つまたはいくつかの識別子を含み得、これらのグループはＣＳＧグループ内で使用され得る全てのアイデンティティのサブグループであり得る。別の実施形態において、制限されたＢＣＣＨリソースは、ＵＥ１０２の識別子の広範なリストを搬送することに対して不適切であると判断され得る。このような場合、ＵＥ１０２のアイデンティティは、ｍｕｌｔｉｍｅｄｉａ  ｂｒｏａｄｃａｓｔ／ｍｕｌｔｉｃａｓｔ  ｓｅｒｖｉｃｅ（ＭＢＭＳ）機能を使用して信号を送られる。例えば、ＵＥ１０２を識別するために、ＭＢＭＳがＡＣＬ１０８の変更または更新を伝達するために使用されることを示すＵＥ＿ＩＤＥＮＴＩＴＹで特別な値またはコードが送信され得る。
【００２２】
ここで図２に目を向けると、通信ネットワーク１５０が記述される。ネットワーク１５０は、ＵＥ１０２と、ＣＳＧセル１０４と、複数のｅＮＢセル１５４、１５６、および１５８と、複数のＣＳＧセル１６０および１６２を含むトラッキングエリア１５２を含む。ＵＥ１０２は、ＴＡ１５２を構成するＣＳＧセルおよびｅＮＢセルによって提供されるカバレッジ内に位置する。ｅＮＢセル１５４、１５６、および１５８と、ＣＳＧセル１６０および１６２のそれぞれは、ＣＳＧセル１０４とＣＮ１０６との間の通信的結合のために、上記に記述された態様と実質的に同様な態様でＣＮ１０６と通信的に結合され得る。一部の実施形態において、ＵＥ１０２が同じトラッキングエリア（ＴＡ）に属するセルのカバレッジの間を移動する場合、ＵＥ１０２は、例えばＮＡＳシグナリング手順を使用してＣＮ１０６への登録手順を開始しない場合がある。例えば、ＵＥ１０２がＲＣＣ＿ＩＤＬＥモードにあるときにＣＳＧセル１０４の選択を解除し、ｅＮＢ１５４を選択した場合、ＵＥ１０２は、しばらくの間（例えば、ＣＳＧセル１０４およびｅＮＢセル１５４のトラッキングエリアアイデンティティ（ＴＡＩ）が同じか、またはそれぞれのＴＡＩがＵＥ１０２に既知のＴＡＩリストにある限り）登録手順を開始しない場合がある。ＴＡＩリストは、ＵＥ１０２がトラッキングエリア更新手順を実行することなく入り得るトラッキングエリアを識別するＴＡＩのリストである。ＴＡＩリストにおけるＴＡＩは、ｍｏｂｉｌｉｔｙ  ｍａｎａｇｅｍｅｎｔ  ｅｎｔｉｔｙ（ＭＭＥ）によってＵＥ１０２に割り当てられ得、同じＭＭＥエリアに関係し得る。ＵＥ１０２をページするために、ＴＡのセルのそれぞれは、ＵＥ１０２に対する着信がＣＮ１０６に到着した場合、ＵＥ１０２をページし得る。一部の脈略において、ｅＮＢセル１５４、１５６、および１５８は、アクセスノード（ＡＮ）といわれ得る。
【００２３】
ＲＣＣ＿ＩＤＬＥモードにあるとき、ＵＥ１０２がトラッキングエリア１５２の任意のセルを選択し得るため、上記に記述されたように、トラッキングエリア１５２内のセルのそれぞれによって（例えば、ｅＮＢセル１５４、１５６、および１５８のそれぞれによって、ならびにＣＳＧセル１０４、１６０、および１６２のそれぞれによって）ＢＣＣＨでＡＣＬ１０８−ｂへの変更に対して信号が送られ得る。ＣＳＧ＿ＳＵＢ＿ＵＰＤＡＴＥパラメータは、ＣＳＧセル１０４、１６０、および１６２のうちの１つのサービス契約者がアクセスの変更をし、対象ＵＥ１０２によって記憶されたＡＣＬ１０８−ａをＣＮ１０６内に記憶されたＡＣＬ１０８−ｂと同期化することが必要であることをトラッキングエリア１５２内の全てのＵＥ１０２に伝達し得る。ＵＥ１０２は、ＮＡＳシグナリング手順（例えば、トラッキングエリア更新手順、および／またはサービスリクエスト手順）を開始することによって、ＡＣＬ１０８−ａのＣＮ１０６内に記憶されたＡＣＬ１０８−ｂとの同期化を引き起こし得る。あるいは、ＵＥ１０２は、ルーティングエリア更新手順、位置更新手順、および／またはサービスリクエスト手順を開始し得る。あるいは、ＵＥ１０２はＯＭＡ  ＤＭ手順を開始し得、ＵＥ１０２は、ＯＭＡ−ＤＡサーバ（図示なし）によって更新され得る。
【００２４】
トラッキングエリア１５２内の全てのＵＥ１０２がＮＡＳシグナリング手順および／またはＯＭＡ  ＤＭ手順を開始することの負担を克服するために、ＵＥ１０２は、ＡＣＬ１０８−ｂを更新するためにＵＥ１０２のＮＡＳシグナリングおよび／またはＯＭＡ  ＤＭ手順の開始を時差開始するように時間の遅延または時間のオフセットを決定し得る。あるいは、１つまたはいくつかのＡＣＬ１０８−ａを更新するための数多くのＮＡＳシグナリング手順および／またはＯＭＡ  ＤＭ手順の負担を回避するために、セルのそれぞれは、ＮＡＳシグナリング手順および／またはＯＭＡ  ＤＭ手順を開始するために特定のＵＥ１０２を選択的に指定するようにＢＣＣＨで第二のインジケーション（例えば、ＵＥ＿ＩＤＥＮＴＩＴＹパラメータ）を送信し得る。上記のように、特定ＵＥ１０２の指定は、ＭＢＭＳサービスを使用して伝達され得る。実施形態において、ＣＳＧ＿ＳＵＢ＿ＵＰＤＡＴＥパラメータはＢＣＣＨで提供されず、ＵＥ＿ＩＤＥＮＴＩＴＹパラメータはＵＥ１０２にＮＡＳシグナリング手順および／またはＯＭＡ  ＤＭ手順を開始するように示すために、上記に記述されたように提供される。
【００２５】
あるいは、またはさらに、セルのそれぞれは、ＡＣＬ１０８の変更に関連するＣＳＧのアイデンティティを提供する第三のインジケーションをＢＣＣＨで送信し得る。例えば、第三のインジケーションはＭＩＢ、ＳＩＢ１，またはＢＣＣＨのシステム情報ブロック（ＳＩＢ）内で送信され得る。第三のインジケーションは、対象ＣＳＧの完全な識別、または対象ＣＳＧの部分的な識別もしくはハッシュされたバージョンの識別を含み得る。第三のインジケーションは、ＣＳＧ＿ＩＤＥＮＴＩＴＹパラメータといわれ得る。実施形態において、第三のインジケーションは、ＢＣＣＨでＣＳＧ＿ＳＵＢ＿ＵＰＤＡＴＥなしに送信され得、ＵＥ＿ＩＤＥＮＴＩＴＹパラメータとの組み合わせで１つまたは複数のＵＥ１０２にＮＡＳシグナリング手順および／またはＯＭＡ  ＤＭ手順を開始するように示し得る。実施形態において、第三のインジケーションは、ＢＣＣＨでＣＳＧ＿ＳＵＢ＿ＵＰＤＡＴＥパラメータおよびＵＥ＿ＩＤＥＮＴＩＴＹパラメータなしに送信され得、１つ以上のＵＥ１０２にＮＡＳシグナリング手順および／またはＯＭＡ  ＤＭ手順を開始するように示す。実施形態において、ＣＳＧ＿ＩＤＥＮＴＩＴＹパラメータは、１つ以上のＣＳＧの部分的識別を含み得る。たとえば、部分的識別は、アイデンティティの４つの最も重要でないビットまたはアイデンティティの８つの最も重要でないビットを含み得るか、または部分的識別はアイデンティティのハッシュを含み得る。
【００２６】
別の実施形態において、ＣＮ１０６は、ＡＣＬ１０８−ａがＡＣＬ１０８−ｂと同期化されていない場合、ＵＥ１０２をページし得る。例えば、ＡＣＬ１０８−ｂが更新された場合、ＣＮ１０６は、続いてＵＥ１０２にページを開始し、ページは、ＡＣＬ１０８−ａを更新するためにＮＡＳシグナリング手順を開始するためのインジケーションを含み得る。別の実施形態において、ＵＥ１０２がＲＣＣ＿ＣＯＮＮＥＣＴＥＤモードに入り、ＡＣＬ１０８−ｂが変更された場合、ＣＮ１０６はＡＣＬ１０８−ｂをＵＥ１０２に送り、またそうでなければＵＥ１０２が限定アクセスを有するＣＳＧグループのリストの１つまたは複数の変更をＵＥ１０２に送信する。
【００２７】
１つ以上のＵＥ１０２のＡＣＬ１０８が１つ以上のＣＳＧに対して変更されたことを１つ以上のＵＥ１０２に示すためにブロードキャストされたインジケーションが使用される任意の記述された解決法において、その／それらのＵＥ１０２を識別するために使用されるＢＣＣＨ帯域の量と、それらのＡＣＬ１０８がまだ有効であるかどうかを特定するために本明細書において記述される手順を（不必要に）開始し得るＵＥ１０２の数との間にトレードオフが存在する。ＢＣＣＨにおいて使用されるビットが多ければ多いほど識別はより良く、実行される不必要な手順はより少ない。例えば、モバイルデバイスのアイデンティティのいくつかの最も重要でないビットによる識別は、アイデンティティが共通のそれらの最も重要でないビットを有する複数のモバイルが不必要に手順を開始することをもたらし得る。その反面、単一のＵＥの識別には多くのビットが必要とされるが、ＵＥ１０２がそのＡＣＬを確認することのみをもたらす。
【００２８】
ここで記述される実施例のアプローチは、ＣＳＧセルへのサービス契約が時間制限されている可能性が高く（例えば、喫茶店の状況において、顧客は１時間のアクセスを許可され得る）、従って同様な時間にアクセスが付与された複数のＵＥ１０２のＡＣＬ１０８は、同様な時間（すなわち、例において１時間後）に変更される（すなわち、アクセスが剥奪される）という事実を使用する。
【００２９】
このアプローチにおいて、ＵＥ１０２およびＣＮ１０６の双方は、登録プロセスのようなＥＰＣおよびＵＥ１０２の双方を伴うＮＡＳ手順によって、ＵＥ１０２がＣＳＧへのアクセスが許可されたことを認識した時間を記憶する（言い換えれば、ＵＥ１０２のＡＣＬ１０８にＣＳＧ  ＩＤが追加された時間であり、ＡＣＬ１０８はまたＵＥのホワイトリストといわれ得る）。ネットワークがＵＥ１０２に対するＡＣＬ１０８−ａを更新することを望む場合、ネットワークはＵＥ１０２がＣＳＧ  ＩＤをそのＡＣＬ１０８−ａに追加してから経過した時間を特定し、これ（または時間の値域、例えば２０−２５分）を下りリンクのシグナリングで（例えば、ＢＣＣＨで）示す。示された期間内でＣＳＧ  ＩＤをＡＣＬ１０８−ａに追加しなかったＵＥ１０２は、シグナリングに応答する必要がなく、この期間（この例において２０−２５分前）にＣＳＧ  ＩＤをＡＣＬ１０８−ａに追加したＵＥ１０２は、そのＡＣＬ１０８−ａが改変されるべきかどうかを特定するためにシグナリングに応答する。
【００３０】
一時的な時間ベースのサービス契約が（例えば１、４、または２４時間のアクセスを許可するために）使用されるが、一部のＵＡ１０２が恒久的な（数週または数か月前に追加された）サービス契約を有する状況において、これは特に利点を有する。一時的サービス契約者がＡＣＬ１０８−ａを更新することを引き起こすための（失効したサービス契約を除去するための）シグナリングは、同じ時間に偶然にもサービス契約した数名の他の一時的サービス契約者に影響を及ぼし得るが、恒久的な（ＵＥのＡＣＬ１０８−ａが数日、数週間、数か月前に更新された）サービス契約者がそのＡＣＬ１０８−ａの有効性について問い合わせることを引き起こさない（注意すべきは、同じ時間に同じ期間サービス契約した他のユーザは、応答し、次に、ユーザの失効したサービス契約を反映するようにユーザのＡＣＬ１０８−ａを更新されることである）。
【００３１】
このアプローチは、複数のＵＥ１０２のＡＣＬ１０８−ａが同時に更新される場合、同時にＣＳＧ  ＩＤを追加するために、ＡＣＬ１０８−ａが更新されたすべてのこのようなＵＥ１０２を識別するために１つのインジケーションのみが必要とされる利点をさらに有する。アクセスが特定の時間単位で付与される上記の状況において、次に、所与の時間に除去されたＣＳＧ  ＩＤにアクセスを有するようにＡＣＬ１０８−ａが改変されるべきＵＥ１０２のセットに対して、これらのＵＥ１０２の多くが（概ね）同時にＣＳＧ  ＩＤ  ＵＥにアクセスを最初に付与されたことが予期され得る。
【００３２】
ここで図３に目を向けると、方法２００が記述される。ブロック２０２ではＡＣＬ１０８−ｂ（例えばＣＮ１０６によって記憶されたＡＣＬ１０８−ｂ）が変更された場合、閉じた加入者グループへの限定アクセスが変更されたことの第一のインジケーションを含むＢＣＣＨを送信する。一部の脈略において、ＣＮ１０６またはＣＮ１０６の一部は、パケットデータネットワークといわれ得る。第一のインジケーションは、上記に記述されたＣＳＧ＿ＳＵＢ＿ＵＰＤＡＴＥパラメータを含み得る。第一のインジケーションは、ＭＩＢ、ＳＩＢ１、または別のシステム情報ブロックによって搬送され得る。ブロック２０４では、オプション的に、ＡＣＬの変更の対象であるＵＥ１０２をさらに識別する第二のインジケーションを含むＢＣＣＨを送信する。上記に記述されたように、第二のインジケーションは、ＭＩＢの一部、ＳＩＢ１の一部、または他のシステム情報ブロックの一部として送信され得る。ブロック２０６では、オプション的に、対象ＣＳＧグループのアイデンティティ、例えばＡＣＬ１０８−ｂから除去または追加されたＣＳＧグループのアイデンティティをさらに識別する第三のインジケーションを含むＢＣＣＨを送信する。上記に記述されたように、第三のインジケーションは、ＭＩＢの一部、ＳＩＢ１の一部、または他のシステム情報ブロックの一部として送信され得る。実施形態において、ＣＳＧセル１０４、１６０、および１６２、および／またはｅＮＢセル１５４、１５６、および１５８のいずれかが方法２００を実行し得る。上記に記述されたように、異なる実施形態において、ＵＥ１０２が例えばＮＡＳシグナリング手順および／またはＯＭＡ  ＤＭ手順を開始することによって、ＡＣＬ１０８−ａをＡＣＬ１０８−ｂと同期化することを引き起こすために異なるパラメータがＢＣＣＨに包含され得る。例えば、ＵＥ＿ＩＤＥＮＴＩＴＹといわれ得る第二のインジケーションは、第一のインジケーションなしに（例えばＣＳＧ＿ＳＵＢ＿ＵＰＤＡＴＥなしに）ＢＣＣＨで送信され得る。第二のインジケーションは、第三のインジケーションと共に、または第三のインジケーションなしのいずれかで送信され得る。例えば、ＣＳＧ＿ＩＤＥＮＴＩＴＹといわれ得る第三のインジケーションは、第一のインジケーションなしに（例えば、ＣＳＧ＿ＳＵＢＳ＿ＵＰＤＡＴＥなしに）ＢＣＣＨで送信され得る。第三のインジケーションは、第二のインジケーションと共に、または第二のインジケーションなしのいずれかでＢＣＣＨで送信され得る。
【００３３】
ここで図４に目を向けると、方法２２０が記述される。実施形態において、ＵＥ１０２は、ＵＥ１０２によって記憶されたＡＣＬ１０８−ａをＣＮ１０６によって記憶されたＡＣＬ１０８−ｂと同期化するために方法２２０を実行し得る。ブロック２２２では、ＣＳＧグループへの限定アクセスが変更されたことの第一のインジケーションを含むＢＣＣＨが受信される。実施形態において、第一のインジケーションは、上記にさらに記述されたようにシーケンス番号であり得る。実施形態において、第一のインジケーションは、ＭＩＢ、ＳＩＢ１、またはＢＣＣＨの別のシステム情報ブロックによって伝達され得る。ブロック２２４では、第一のインジケーションの値は、値が変更されたかどうかを特定するために分析される。例えば、ＵＥ１０２は、第一のインジケーションが最後に変更されたとき、またはＵＥ１０２がＣＳＧセル１０４に最後にキャンプしたときの第一のインジケーションの値を記憶し得、ＢＣＣＨで受信された第一のインジケーションの受信された値と比較し得る。第一のインジケーションの値が変更されていない場合、ＵＥ１０２はＡＣＬ１０８−ａに関するＢＣＣＨのさらなる処理を実行しない場合がある。ブロック２２６では、第一のインジケーションの値が変更された場合、ＵＥ１０２は、ＵＥ１０２によって記憶されたＡＣＬ１０８−ａをＣＮ１０６によって記憶されたＡＣＬ１０８−ｂと同期化するために、非アクセス層（ＮＡＳ）シグナリング手順またはＯＭＡ  ＤＭシグナリング手順を開始する。実施形態において、ＵＥ１０２は、上記に記述されたように、ＢＣＣＨにおける第二のインジケーションがＵＥ１０２を指定するかどうかさらに確認し得、ＵＥ１０２が第二のインジケーションによって指定された場合、ＮＡＳシグナリング手順を開始し得る。実施形態において、ＵＥ１０２は、上記に記述されたように、ＢＣＣＨにおける第三のインジケーションがＵＥ１０２によって記憶されたＡＣＬ１０８−ａに含まれるＣＳＧのアイデンティティを指定するかどうかをさらにチェックし得、指定されたＣＳＧグループがＡＣＬ１０８−ａに含まれている場合、ＮＡＳシグナリングまたはＯＭＡ  ＤＭ手順を開始する。
【００３４】
ＣＳＧセル、ｅＮＢ、ＵＥ、および他の上記に記述されたコンポーネントは、上記に記述されたアクションに関する命令を実行することが可能な処理コンポーネントを含み得る。図５は、本明細書において開示される１つ以上の実施形態を実装することに適切な処理コンポーネント７１０を含むシステム７００の実施例を描写する。プロセッサ７１０（中央処理ユニットまたはＣＰＵといわれ得る）に加えて、システム７００は、ネットワーク接続デバイス７２０、ランダムアクセスメモリ（ＲＡＭ）７３０、リードオンリーメモリ（ＲＯＭ）７４０、二次記憶装置７５０、および入力／出力（Ｉ／Ｏ）デバイス７７０を含み得る。これらのコンポーネントは、バス７７０を介して互いに通信し得る。一部の場面において、これらのコンポーネントの一部は、存在しないか、または互いにもしくは図示されていない他のコンポーネントとさまざまな組み合わせで組み合わされ得る。これらのコンポーネントは、単一の物理体内に位置するか、または１つより多くの物理体内に位置する。プロセッサ７１０によりとられたとして本明細書において記述される任意のアクションは、プロセッサ７１０単独で、またはデジタル信号プロセッサ（ＤＳＰ）７０２のような、図面において図示されている、もしくは図示されていない１つ以上のコンポーネントと共にプロセッサ７１０によってとられ得る。ＤＳＰ７０２は別個のコンポーネントとして示されるが、ＤＳＰ７０２はプロセッサ７１０に組み込まれ得る。
【００３５】
プロセッサ７１０は、ネットワーク接続デバイス７２０、ＲＡＭ７３０、ＲＯＭ７４０、または二次記憶装置７５０（これはハードディスク、フロッピー（登録商標）ディスク、または光学ディスクのような様々なディスクベースのシステムを含み得る）からアクセスし得る命令、コード、コンピュータプログラム、またはスクリプトを実行する。１つのＣＰＵのみが示されるが、複数のプロセッサが存在し得る。従って、命令はプロセッサによって実行されたと論じられ得るが、命令は１つまたは複数のプロセッサによって同時に、並列に、または他の様式で実行され得る。プロセッサ７１０は、１つ以上のＣＰＵチップとして実装され得る。
【００３６】
ネットワーク接続デバイス７２０は、モデム、モデムバンク、イーサネット（登録商標）デバイス、ｕｎｉｖｅｒｓａｌ  ｓｅｒｉａｌ  ｂｕｓ（ＵＳＢ）インターフェイスデバイス、シリアルインターフェイス、トークンリングデバイス、ファイバー分散データインターフェイス（ＦＤＤＩ）デバイス、ワイヤレス構内通信網（ＷＬＡＮ）デバイス、（符号分割多元接続（ＣＤＭＡ）デバイス、ｇｌｏｂａｌ  ｓｙｓｔｅｍ  ｆｏｒ  ｍｏｂｉｌｅ  ｃｏｍｍｕｎｉｃａｔｉｏｎｓ（ＧＳＭ（登録商標））無線トランシーバデバイス、ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ（ＷｉＭａＸ）デバイスのような）無線トランシーバデバイス、および／またはネットワークに接続するための他の周知のデバイスの形式を取り得る。これらのネットワーク接続デバイス７２０は、プロセッサ７１０がインターネット、１つ以上の電話通信ネットワーク、またはプロセッサ７１０が情報を受信し得るか、もしくはプロセッサ７１０が情報を出力し得る他のネットワークと通信することを可能にし得る。ネットワーク接続デバイス７２０はまた、ワイヤレスにデータを送信および／または受信することが可能な１つ以上のトランシーバコンポーネント７２５を含み得る。
【００３７】
ＲＡＭ７３０は、揮発性データを記憶するため、あるいはプロセッサ７１０によって実行される命令を記憶するために使用され得る。ＲＯＭ７４０は、二次記憶装置７５０のメモリ容量よりも少ないメモリ容量を典型的に有する不揮発性メモリデバイスである。ＲＯＭ７４０は、命令と、あるいは命令の実行中に読み取られるデータとを記憶するために使用され得る。ＲＡＭ７３０およびＲＯＭ７４０へのアクセスは、双方とも典型的に二次記憶装置７５０へのアクセスよりも速い。二次記憶装置７５０は、典型的に１つ以上のディスクドライブまたはテープドライブから構成され、不揮発性のデータの記憶のために使用され得るか、またはＲＡＭ７３０が全ての作業データを維持するために充分な容量を有さない場合にオーバーフローデータ記憶デバイスとして使用され得る。二次記憶装置７５０は、ＲＡＭ７３０にロードされたプログラムが実行のために選択された場合、このようなプログラムを記憶するために使用され得る。
【００３８】
Ｉ／Ｏデバイス７６０は、液晶ディスプレイ（ＬＣＤ）、タッチスクリーンディスプレイ、キーボード、キーパッド、スイッチ、ダイアル、マウス、トラックボール、音声認識装置、カードリーダー、ペーパーテープリーダー、プリンタ、ビデオモニター、または他の周知の入力／出力デバイスを含み得る。また、トランシーバ７２５は、ネットワーク接続デバイス７２０のコンポーネントの代わりに、またはネットワーク接続デバイス７２０のコンポーネントであることに加えて入力／出力デバイス７６０のコンポーネントとみなされ得る。
【００３９】
以下、すなわち３ｒｄ  Ｇｅｎｅｒａｔｉｏｎ  Ｐａｒｔｎｅｒｓｈｉｐ  Ｐｒｏｊｅｃｔ（３ＧＰＰ）Ｔｅｃｈｎｉｃａｌ  Ｓｐｅｃｉｆｉｃａｔｉｏｎ（ＴＳ）２４．００８、２４．３０１、２５．３０４、２５．３３１、３６．３０４、およびＴＳ３６．３３１は、本明細書に参照により全ての目的のために援用される。
【００４０】
実施形態において、ユーザ機器（ＵＥ）が開示される。ＵＥは、閉じた加入者グループへの限定アクセスが変更されたことの第一のインジケーションを含むブロードキャスト制御チャンネル（ＢＣＣＨ）を受信し、第一のインジケーションに基づいてシグナリング手順を開始するように構成されたプロセッサを含む。
【００４１】
別の実施形態において、アクセスノード（ＡＮ）が開示される。ＡＮは、閉じた加入者グループへの限定アクセスが変更されたことの第一のインジケーションを含むブロードキャスト制御チャンネル（ＢＣＣＨ）を送信するように構成されたプロセッサを含む。
【００４２】
別の実施形態において、アクセス権を有する閉じた加入者グループのリスト（ＡＣＬ）を同期化する方法が開示される。方法は、コアネットワークに記憶されたＡＣＬが変更された場合、閉じた加入者グループへの限定アクセスが変更されたことの第一のインジケーションを含むブロードキャスト制御チャンネル（ＢＣＣＨ）を送信することを含む。
【００４３】
別の実施形態において、アクセス権を有する閉じた加入者グループのリスト（ＡＣＬ）を同期化する方法が開示される。方法は、閉じた加入者グループへの限定アクセスが変更されたことの第一のインジケーションを含むブロードキャスト制御チャンネル（ＢＣＣＨ）を受信することであって、第一のインジケーションはシーケンス番号である、ことと、第一のインジケーションの値が増加したことを特定することと、ユーザ機器（ＵＥ）が、第一のインジケーションの値が増加したことを特定することに部分的に基づいて非アクセス層シグナリング手順を開始することであって、非アクセス層シグナリング手順はＡＣＬを同期化する、こととを含む。
【００４４】
別の実施形態において、アクセス権を有する閉じた加入者グループのリスト（ＡＣＬ）を同期化する方法が開示される。方法は、パケットデータネットワークに記憶されたＡＣＬが閉じた加入者グループのアイデンティティを除去するために変更された場合、ＡＣＬに関連するユーザ機器（ＵＥ）が非アクセス層信号を開始するようにページすることを含み、非アクセス層シグナリング手順は、ＵＥに記憶されたＡＣＬのコピーをパケットデータネットワークに記憶されたＡＣＬと同期化する。
【００４５】
別の実施形態において、アクセス権を有する閉じた加入者グループのリスト（ＡＣＬ）を同期化する方法が開示される。方法は、パケットデータネットワーク（ＰＤＮ）に記憶されたＡＣＬが更新された場合、パケットデータネットワークがＡＣＬの更新をＡＣＬに関連するユーザ機器（ＵＥ）に送信することを含む。
【００４６】
いくつかの実施形態が本開示で提供されたが、開示されたシステムおよび方法は、本開示の精神または範囲から逸脱することなく多くの他の特定の形式で具現化され得ることが理解される。本実施例は、例示的であり制限的ではないとみなされ、本明細書において与えられる詳細に制限されることが意図されていない。例えば、様々なエレメントまたはコンポーネントは、別のシステムと組み合わされ得るか、もしくは組み込まれ得るか、または特定の機能が省略され得るか、もしくは実装されない場合がある。
【００４７】
また、様々な実施形態において分離している、もしくは別個であるとして記述され、描写される技法、システム、サブシステム、および方法は、本開示の範囲から逸脱することなく他のシステム、モジュール、技法、または方法と組み合わされ得るか、または組み込まれ得る。結合しているもしくは直接結合している、または互いに通信しているとして示され論じられる他のアイテムは、間接的に結合され得るか、電気的に、機械的に、または別の様式であるインターフェイス、デバイス、または中間コンポーネントを介して通信し得る。変更、置き換え、または改造の他の例は、当業者によって確認可能であり、本明細書において開示される精神および範囲から逸脱することなくなされ得る。
【図１】
0005259013.tif 000002
【図２】
0005259013.tif 000003
【図３】
0005259013.tif 000004
【図４】
0005259013.tif 000005
【図５】
0005259013.tif 000006